(57)【要約】【課題】ネジなどの部品を使用することなく、また装置ケースの変形を招くことなくヒートシンクを装置ケースに取り付けられるようにする。さらに、高い生産性を実現できるようにする。【解決手段】上壁１１が下になるように装置ケース１を置き、その上方から放熱フィン２２を下にしてヒートシンク２を装置ケース１内に差し入れる。そして２つの側壁１２ａ，１２ｂを外方へ押し広げ、ヒートシンク２の突片２３ａ，２３ｂと装置ケース１の凹部１２２ａ，１２２ｂを係合させる。冷却ファン３を上方から装置ケース１内に差し入れ、固定ピンＰによって冷却ファン３を装置ケース１に固定する。これにより２つの側壁１２ａ，１２ｂが外方に開くことが同時に阻止され、ヒートシンク２が装置ケース１から外れることが一層防止される。【選択図】図２
2007287837.tif 000002
【特許請求の範囲】
【請求項１】
発熱体に着接されるヒートシンクと、このヒートシンクを空冷するための冷却ファンとが装置ケース内に取り付けられたヒートシンクファン装置において、
ヒートシンクの側面から外方へ突出した突片と、装置ケースの側壁に形成された凹部とを係合させることによってヒートシンクを装置ケースに取り付けたことを特徴とするヒートシンクファン装置。
【請求項２】
冷却ファンをヒートシンクの側方に取り付け、ヒートシンクの側面から冷却風を供給する請求項１記載のヒートシンクファン装置。
【請求項３】
前記装置ケースが、上壁と、この上壁の向かい合う側端から垂下する２つ側壁とを有してなり、この２つの側壁を外方へ押し広げることにより、ヒートシンクの突片を装置ケースの凹部に係合させる請求項１又は２記載のヒートシンクファン装置。
【請求項４】
前記２つの側壁の、一方の端部の側壁間は固定され、他方の端部のみが外方へ押し広げることが可能とされた請求項３記載のヒートシンクファン装置。
【請求項５】
冷却ファンを装置ケースに取り付けることによって、装置ケースの側壁を外方へ押し広げることが阻止される請求項３又は４記載のヒートシンクファン装置。
【請求項６】
装置ケースが、下辺から切欠くように形成された吸気用開口を有する前壁をさらに備え、冷却ファンの吸気口が前壁の吸気用開口と一致するように、冷却ファンが装置ケースに配置され、前壁の、吸気用開口を介して向かい合う２つの下端部と、冷却ファンとを固定具によって接合することによって、装置ケースの側壁が外方へ押し広げられることが阻止される請求項５記載のヒートシンクファン装置。
【請求項７】
前壁の吸気用開口の外縁に、吸気用開口の中心から上壁側の両角に向かうスリットが形成されている請求項６記載のヒートシンクファン装置。
【請求項８】
吸気用開口の内周面に、外方に向かって拡径する傾斜面が形成されている請求項６又は７記載のヒートシンクファン装置。
【請求項９】
吸気用開口の内周面に形成された傾斜面が、冷却ファンの吸気口に形成された傾斜面と連続する請求項８記載のヒートシンクファン装置。
【請求項１０】
ヒートシンクが、板状の基部と、基部上に形成された複数の放熱フィンとを備え、基部の対向する側面に突片が形成され、
装置ケースの、前記２つの側壁の下部にそれぞれ凹部が形成された請求項３〜９のいずれかに記載のヒートシンクファン装置。
【請求項１１】
前記２つの側壁の下端にフランジ部が形成され、側壁の内壁面からフランジ部の内部へ進入する形で凹部が形成されている請求項１０記載のヒートシンクファン装置。
【請求項１２】
フランジ部の底面に、凹部に繋がる切欠きが形成され、前記２つの側壁の外方への押し広げ量が小さくても突片と凹部が係合できるようにした請求項１１記載のヒートシンクファン装置。
【請求項１３】
前記２つの側壁の、一方の端部の側壁間は固定され、他方の端部のみが外方へ押し広げることが可能とされ、
前記切欠きの平面形状が、固定された側壁間側に行くに従って外方へ拡がる形状である請求項１２記載のヒートシンクファン装置。
【請求項１４】
前記２つの側壁の、一方の端部の側壁間は固定され、他方の端部のみが外方へ押し広げることが可能とされ、
ヒートシンクに形成する突片の平面形状を略台形状とし、突片の、固定された側壁間側の突出量を、固定されていない側壁間側の突出量に対して少なくした請求項３〜１３のいずれかに記載のヒートシンクファン装置。
【請求項１５】
冷却ファンに電流を供給するリード線を掛止するための掛止部が、装置ケースの側壁の外面に形成された請求項１〜１４のいずれかに記載のヒートシンクファン装置。
【請求項１６】
凹部の内上壁の、幅方向略中央に凸条が形成された請求項１〜１５のいずれかに記載のヒートシンクファン装置。
【発明の詳細な説明】
【技術分野】
【０００１】
本発明はヒートシンクファン装置に関し、より詳細にはヒートシンクと冷却ファンとが装置ケース内に取り付けられたヒートシンクファン装置に関するものである。
【背景技術】
【０００２】
ＣＰＵ（Central Processing Unit）などの電気部品において発熱による誤作動や能力低下を防止するために、電気部品を冷却する手段が一般に電気部品と共に取り付けられている。このような冷却手段としてヒートシンクファン装置がこれまでから広く用いられている。ヒートシンクファン装置は一般に、発熱する電気部品に着接して放熱を促進させるヒートシンクと、ヒートシンクを空冷するための冷却ファンとが装置ケースに収納されてなる。
【０００３】
ヒートシンクを装置ケースに取り付ける方法として、例えばヒートシンクと装置ケースをネジで固定する方法（例えば特許文献１など）、あるいは装置ケースの外側に突出部を形成し、ヒートシンクに環状部を形成し、突出部に環状部をはめ入れることによって、ヒートシンクと装置ケースを固定する方法（例えば特許文献２）などがこれまで用いられてきた。
【特許文献１】特開２００４−２３５６５４号公報
【特許文献２】特開平７−２１１８２９号公報
【発明の開示】
【発明が解決しようとする課題】
【０００４】
しかしながら、ヒートシンクと装置ケースをネジで固定する方法によれば、両者を確実に固定することができるが、複数箇所をネジ止めする作業が必要となり生産性を向上させることが困難である。またネジが別途必要となり部品点数が増える。
【０００５】
また突出部に環状部をはめ入れてヒートシンクと装置ケースを固定する方法では、装置ケースの外側にヒートシンクの重量による大きな力が加わるため装置ケースが変形することがある。
【０００６】
本発明はこのような従来の問題に鑑みてなされたものであり、その目的とするところは、ネジなどの部品を使用することなく、また装置ケースの変形を招くことなくヒートシンクを装置ケースに取り付けられるようにすることにある。さらに、高い生産性を実現できるようにすることにある。
【０００７】
また本発明の目的は、大きな衝撃を受けてもヒートシンクが装置ケースから外れないようにすることにある。
【０００８】
そしてまた本発明の目的は、冷却ファンによって装置ケース内に空気が吸い込まれる際の風音を抑えることにある。
【０００９】
さらに、本発明の目的は、冷却ファンのリード線が小さく輪状にした状態で収納されるのを防止するとともに、装置を梱包箱から取り出す時や発熱体に取り付ける時などに、リード線が装置ケースから外れ出るのを防止することにある。
【課題を解決するための手段】
【００１０】
前記目的を達成するため本発明に係るヒートシンクファン装置では、発熱体に着接されるヒートシンクと、このヒートシンクを空冷するための冷却ファンとを装置ケース内に取り付け、ヒートシンクの側面から外方へ突出した突片と、装置ケースの側壁に形成された凹部とを係合させることによって、ヒートシンクを装置ケースに取り付けることを特徴とする。
【００１１】
ここで、ＣＰＵなどの発熱体に冷却風を直接供給すると同時に、近接する他の発熱体にも冷却風を供給する観点から、冷却ファンをヒートシンクの側方に取り付け、ヒートシンクの側面から冷却風を供給するようにするのが好ましい。
【００１２】
また装置ケースとして、上壁と、この上壁の向かい合う側端から垂下する２つ側壁とを有するものを用い、この２つの側壁を外方へ押し広げることにより、ヒートシンクの突片を装置ケースの凹部に係合させるようにしてもよい。さらに組立作業の効率を高めると同時にヒートシンクの装置ケースへの固定を強固にする観点から、前記２つの側壁の、一方の端部の側壁間を固定し、他方の端部のみを外方へ押し広げられるようにするのが好ましい。なお、本明細書における上下は、特に断りのない限り、ヒートシンクの着接面を下方にして装置を載置したときの上下を意味するものとする。
【００１３】
組立作業の効率を高めるとともにヒートシンクの装置ケースへの固定を強固にする観点から、冷却ファンを装置ケースに取り付けることによって、装置ケースの側壁を外方へ押し広げることが阻止されるようにするのが好ましい。具体的には装置ケースに、下辺から切欠くように形成された吸気用開口を有する前壁をさらに設け、冷却ファンの吸気口が前壁の吸気用開口と一致するように、冷却ファンを装置ケースに配置し、前壁の、吸気用開口を介して向かい合う２つの下端部と、冷却ファンとを固定具によって接合することによって、装置ケースの側壁が外方へ押し広げられることを阻止するようにしてもよい。ここで、前記２つの側壁を外方へ押し広げやすくする観点から、前壁の吸気用開口の外縁に、吸気用開口の中心から上壁側の両角に向かうスリットを形成するのが好ましい。
【００１４】
また、冷却ファンによって装置ケース内に空気が吸い込まれる際に生じる風音を抑え、吸気量を増加させる観点から、吸気用開口の内周面に、外方に向かって拡径する傾斜面を形成するのが好ましい。さらには吸気用開口の内周面に形成された傾斜面が、冷却ファンの吸気口に形成された傾斜面と連続するようにするのが好ましい。
【００１５】
ヒートシンクとして、板状の基部と、基部上に形成された複数の放熱フィンとを備え、基部の対向する側面に突片が形成されたものを用い、装置ケースとして、前記２つの側壁の下部にそれぞれ凹部が形成されたものを用いてもよい。このとき、前記２つの側壁の下端にフランジ部を形成し、側壁の内壁面からフランジ部の内部へ進入する形で凹部を形成してもよい。さらに、前記２つの側壁の外方への押し広げ量が小さくても突片と凹部が係合できるようにする観点から、フランジ部の底面に、凹部に繋がる切欠きを形成するのが好ましい。
【００１６】
前記２つの側壁の、一方の端部の側壁間は固定され、他方の端部のみが外方へ押し広げることが可能とされた装置ケースを用いる場合、前記切欠きの平面形状は、固定された側壁間側に行くに従って外方へ拡がる形状が好ましい。またヒートシンクに形成する突片の形状は略台形状で、突片の、固定された側壁側の突出量を、固定されていない側壁側の突出量に対して少なくした形状が好ましい。
【００１７】
冷却ファンのリード線が小さく輪状にした状態で収納されるのを防止するとともに、装置を梱包箱から取り出す時や発熱体に取り付ける時などに、リード線が装置ケースから外れ出るのを防止する観点から、リード線を掛止するための掛止部を装置ケースの側壁の外面に形成するのが好ましい。
【００１８】
組立て誤差や取付け誤差による発熱体とヒートシンクの密着不良を抑える観点から、凹部の内上壁の、幅方向略中央に凸条を形成し、ヒートシンクが凸条を支点として若干揺動可能にしておくのが好ましい。
【発明の効果】
【００１９】
本発明のヒートシンクファン装置では、ヒートシンクの側面から外方へ突出した突片と、装置ケースの側壁に形成された凹部とを係合させることによって、ヒートシンクを装置ケースに取り付けるようにしたので、ネジなどの部品を使用する必要がなく高い生産性を実現できる。また装置ケースの変形を招くことがなく、ヒートシンクの装置ケースからの外れが効果的に抑えられる。
【００２０】
また冷却ファンをヒートシンクの側方に取り付け、ヒートシンクの側面から冷却風を供給するようにすると、ＣＰＵなどの発熱体に冷却風を直接供給できるようになる。また、近接する他の発熱体にも冷却風を供給できるようになり、電気機器などの筺体内に配設される冷却ファンの数を少なくできる。
【００２１】
装置ケースとして、上壁と、この上壁の向かい合う側端から垂下する２つ側壁とを有するものを用い、この２つの側壁を外方へ押し広げることにより、ヒートシンクの突片を装置ケースの凹部に係合させるようにした場合、前記２つの側壁の、一方の端部の側壁間を固定し、他方の端部のみを外方へ押し広げられるようにすると、組立作業の効率を高めることができると同時にヒートシンクの装置ケースへの固定を強固にできるようになる。
【００２２】
冷却ファンを装置ケースに取り付けることによって、装置ケースの側壁を外方へ押し広げることが阻止されるようにすると、組立作業の効率が向上し、ヒートシンクの装置ケースへの固定を強固にできるようになる。
【００２３】
また、吸気用開口の内周面に、外方に向かって拡径する傾斜面を形成すると、装置ケース内に空気が吸い込まれる際に生じる風音が効果的に抑えられる。また吸気量が増加する。吸気用開口の内周面に形成された傾斜面を、冷却ファンの吸気口に形成された傾斜面と連続するように形成すると、前記の風音が一層抑えられ吸気量も一層増加する。
【００２４】
ヒートシンクとして、板状の基部と、基部上に形成された複数の放熱フィンとを備え、基部の対向する側面に突片が形成されたものを用い、装置ケースとして、前記２つの側壁の下端にフランジ部を形成し、側壁の内壁面からフランジ部の内部へ進入する形で凹部が形成されたものを用いた場合に、フランジ部の底面に、凹部に繋がる切欠きを形成すると、前記２つの側壁の外方への押し広げ量が小さくても突片と凹部が係合できるようなる。
【００２５】
前記２つの側壁の、一方の端部の側壁間は固定され、他方の端部のみが外方へ押し広げることが可能とされた装置ケースを用いる場合、前記切欠きの平面形状は、固定された側壁間側に行くに従って外方へ拡がる形状とする、またヒートシンクに形成する突片の形状は略台形状で、突片の、固定された側壁間側の突出量を、固定されていない側壁間側の突出量に対して少なくした形状とすると、突片と凹部を係合させるための、前記２つの側壁の外方への押し広げ量を一層小さくできるようなる。
【００２６】
また、冷却ファンに電流を供給するリード線を掛止するための掛止部を、装置ケースの側壁の外面に形成すると、冷却ファンのリード線を小さく輪状にした状態で収納するのを防止でき、リード線の折れ曲がりが抑えられる。また、装置を梱包箱から取り出す時や発熱体に取り付ける時などに、リード線が装置ケースから外れ出るのを防止できる。
【００２７】
凹部の内上壁の、幅方向略中央に凸条を形成し、ヒートシンクが凸条を支点として若干揺動可能としておくと、組立て誤差や取付け誤差による発熱体とヒートシンクの密着不良が抑えられる。
【発明を実施するための最良の形態】
【００２８】
以下、本発明に係るヒートシンクファン装置について図に基づいて説明する。なお、本発明はこれらの実施形態に何ら限定されるものではない。
【００２９】
図１に、本発明に係るヒートシンクファン装置の一実施形態を示す。図１のヒートシンクファン装置Ｄは、装置ケース１とヒートシンク２、冷却ファン３とを備える。なお、この図では、ヒートシンクファン装置Ｄの組立を同時に説明するため、ヒートシンクファン装置Ｄを上下逆にして描いてある。
【００３０】
装置ケース１は、上壁１１と、上壁１１の向かい合う側端に上壁１１に対して垂直に形成された２つの側壁１２ａ，１２ｂと、前壁１３とを有する。２つの側壁１２ａ，１２ｂの下端（この図では上端）にはフランジ部１２１ａ，１２１ｂが形成され、その表面にはヒートシンクファン装置Ｄを発熱体（不図示）に取り付けるための、雌ネジが螺刻された４本の円筒部１５が形成されている。またフランジ部１２１ａ，１２１ｂには、側壁１２ａ，１２ｂの内側面からフランジ部の内部に進入する形で凹部１２２ａ，１２２ｂ（凹部１２２ｂは図３に図示）が形成されている。
【００３１】
凹部１２２ａの内上壁（この図では凹部の下面）の、幅方向中央に凸条１２３が形成されている。凹部１２２ａ，１２２ｂにヒートシンク２の突片２３ａ，２３ｂが係合したときに、ヒートシンク２は凸条１２３を支点として若干揺動可能となる。これにより、組立て誤差や取付け誤差によって発熱体に対してヒートシンク２の着接面が傾いていた場合であって、ヒートシンク２が揺動することによって発熱体と隙間なく着接することができるようになる。なお、ヒートシンク２と発熱体との間には通常、熱伝導性に優れたシリコン樹脂等の熱伝導材を介在させる。
【００３２】
図１において、２つの側壁１２ａ，１２ｂの後端部には、細長い板状の接続部材１４が接続し、２つの側壁１２ａ，１２ｂの一方の端部が外方に開くのを阻止している。なお、２つの側壁１２ａ，１２ｂが外方へ開きやすくするためには接続部材１４は無い方がよいが、後述するように、ヒートシンク２を装置ケース１に取り付けた後に、ヒートシンク２が装置ケース１から外れないようにするためには、２つの側壁１２ａ，１２ｂが外方へ開かないようにする必要がある。側壁１２ａ，１２ｂを外方へ押し広げやすくすることと、ヒートシンク２が装置ケース１から外れないようにすることの両方を満足させ、同時に高い生産性を得るには、２つの側壁１２ａ，１２ｂの一方の端部間を接続部材１４で固定し、他方の端部のみが外方へ広がるようにするのがよい。側壁１２ａ，１２ｂの外方へ広がる方の端部間の固定については後述する。
【００３３】
一方、前壁１３には吸気用開口１３１が形成され、２つの側壁１２ａ，１２ｂが外方に開くことを可能としている。この吸気用開口１３１には、開口中心から上壁側の両角に向かってスリット１３３が形成されている。このスリット１３３によって２つの側壁１２ａ，１２ｂが外方へ押し広げやすくされている。また前壁１３の、吸気用開口１３１を介して向かい合う下端部（この図では上端部）には貫通孔１３４が形成されている。なお、装置ケース１を構成する上壁１１と、２つの側壁１２ａ，１２ｂ、前壁１３、接続部材１４とは一体に成形されてなる。もちろんそれぞれを別体として作製し接合しても構わないが、生産性等を考慮すれば一体成形するのが望ましい。
【００３４】
またヒートシンク２は、板状の基部２１と、基部２１上に形成された複数の放熱フィン２２とを備える。基部２１の下面（この図では上面）には、不図示の発熱体と密着する円筒状の着接部２４が形成され、基部２１の対向する側面には、板状の突片２３ａ，２３ｂが形成されている。
【００３５】
ヒートシンク２を装置ケース１に取り付ける場合には、図２（ａ）に示すように、上壁１１が下になるように装置ケース１を置き、その上方から放熱フィン２２を下にしてヒートシンク２を装置ケース１内に差し入れる。すると、図３に示すように、装置ケース１のフランジ部１２１ａ，１２ａｂにヒートシンク２の突片２３ａ，２３ｂが当接して、ヒートシンク２は装置ケース１上に担持される。次に図３（ｂ）に示すように、２つの側壁１２ａ，１２ｂに外力を加えてそれぞれを外方へ押し広げる。すると、フランジ部１２１ａ，１２１ｂと突片２３ａ，２３ｂの当接状態が解消され、ヒートシンク２は自重によって装置ケース１内に落ちる。そして図３（ｃ）に示すように、２つの側壁１２ａ，１２ｂを外方へ押し広げていた外力をなくすと、装置ケース１の側壁１２ａ，１２ｂは弾性によって元の状態に戻り、ヒートシンク２の突片２３ａ，２３ｂが装置ケース１の凹部１２２ａ，１２２ｂに係合する。これにより、装置ケース１を上下を逆にした通常の使用状態としても、ヒートシンク２は装置ケース１から外れることなくしっかりと保持されるようになる。
【００３６】
図２（ｂ）に示すように、ヒートシンク２を装置ケース１に取り付けた後、冷却ファン３を装置ケース１に取り付ける。冷却ファン３もヒートシンク２と同様に、装置ケース１の上方から装置ケース１内に差し入れる。冷却ファンを装置ケース１内に装着すると、冷却ファン３の筺体に形成された貫通孔３４と、前壁１３に形成された貫通孔１３４とがちょうど重なるようになる。そして貫通孔３４と貫通孔１３４を挿通するように固定ピンＰを取り付ける。これにより、冷却ファン３が装置ケース１に固定されるとともに、２つの側壁１２ａ，１２ｂが外方に開くことも同時に阻止され、ヒートシンク２が装置ケース１から外れることが一層防止される。
【００３７】
ヒートシンク２の突片２３ａ，２３ｂと側壁１２ａ，１２ｂの凹部１２２ａ，１２２ｂとを係合させるための、装置ケース１の側壁１２ａ，１２ｂを外方へ広げる量を小さくするには、装置ケース１のフランジ部１２１ａ，１２１ｂの底面（図では上面）に切欠きを形成することが推奨される。例えば図４（ａ）に示すように、接続部材１４によって側壁１２ａ，１２ｂ間が固定された方向に向かって直線的に大きくなる三角形状の切欠き１６ａ，１６ｂを、フランジ部１２１ａ，１２１ｂの底面に凹部１２２ａ，１２２ｂに繋がるように形成する。そして同図（ｂ）のように、側壁１２ａ，１２ｂの前壁側の端部をそれぞれ外方へ押し広げると、接続部材１４との接続部を中心として側壁１２ａ，１２ｂは弾性変形する。同図（ｃ）に示すように、このとき、ヒートシンク２の突片２３ａ，２３ｂとフランジ部１２１ａ，１２１ｂとの当接状態を解消させるための、側壁１２ａ，１２ｂの外方への広げ量は、切欠き１６ａ，１６ｂがない場合に比べて小さな量に抑えることができる。また、切欠き１６ａ，１６ｂを形成することによって、ヒートシンク２の突片２３ａ，２３ｂとフランジ部１２１ａ，１２１ｂとの当接状態が解消しヒートシンク２が自重によって落下した時、凹部１２２ａ，１２２ｂの内上壁によって突片２３ａ，２３ｂが受け止められるので、ヒートシンク２の放熱フィン２２が装置ケース１の上壁１１と接触することも防止されるようになる。
【００３８】
フランジ部１２１ａ，１２１ｂに形成する切欠きの形状は、ヒートシンク２の突片２３ａ，２３ｂとフランジ部１２１ａ，１２１ｂとの当接状態を解消させるための、側壁１２ａ，１２ｂの外方への広げ量を小さくできる形状であれば、特に限定はなく、ヒートシンク２の突片２３ａ，２３ｂの形状や装置ケース１の側壁１２ａ，１２ｂの変形状態、さらには突片２３ａ，２３ｂと凹部１２２ａ，１２２ｂの係合状態を安定に維持する観点などから適宜決定すればよい。例えば図５に示すように、装置ケース１の側壁１２ａ，１２ｂが両端部ともに外方へ押し広げることができ、そしてヒートシンク２の突片２３ａ，２３ｂが四角形状の場合であれば、切欠き１７ａ，１７ｂの形状は、凹部１２２ａ，１２２ｂと同じ幅で凹部１２２ａ，１２２ｂよりも奥行きを短くした四角形とすればよい。このような形状の切欠き１７ａ，１７ｂをフランジ部１２１ａ，１２１ｂに形成することによって、同図（ｂ）、（ｃ）に示すように、側壁１２ａ，１２ｂの外方への広げ量を、切欠き１７ａ，１７ｂがない場合に比べて小さな量に抑えられるようになる。
【００３９】
また、ヒートシンク２の突片２３ａ，２３ｂとフランジ部１２１ａ，１２１ｂとの当接状態を解消させるための、側壁１２ａ，１２ｂの外方への広げ量を小さくすることは、突片２３ａ，２３ｂの形状を工夫することによっても実現される。例えば図６に示すように、側壁１２ａ，１２ｂの一方の端部が接続部材１４で固定され、前壁側の端部のみが外方へ押し広げることができる装置ケース１の場合には、突片２３ａ，２３ｂの平面形状を、固定された側壁端部側の突出量を、固定されていない側壁端部側の突出量よりも少なくした略台形状とする。これにより、図７（ａ）に示すように、側壁１２ａ，１２ｂの外方への広げ量を小さくても、ヒートシンク２の突片２３ａ，２３ｂとフランジ部１２１ａ，１２ａｂとの当接状態を解消できるようになる。さらに同図（ｂ）に示すように、切欠き１７ａ，１７ｂをフランジ部１２１ａ，１２１ｂに形成すれば、側壁１２ａ，１２ｂの外方への広げ量は一層小さく抑えられるようになる。
【００４０】
ところで、空気が吸い込まれる際に生じる風音を抑えるとともに、吸気量を増加させる観点から、図１に示すように、冷却ファン３の吸気口３１の内周面には通常、外方に向かって拡径した傾斜面３２が形成されている。しかし、冷却ファン３を取り付けた装置ケース１の吸気用開口１３１の内周面に、同様の傾斜面が形成されていないと、吸気用開口１３１において風音が生じることがある。そこで、装置ケース１の吸気用開口１３１の内周面にも、外方に向かって拡径した傾斜面１３２を形成することが推奨される。さらには、装置ケース１の吸気用開口１３１の傾斜面１３２と冷却ファン３の傾斜面３２とを連続させるのが好ましい。このようにすることによって風音が一層低減され、吸気量が一層増大する。傾斜面の角度は冷却ファン３の大きさや吸気量などから適宜決定すればよい。
【００４１】
また、冷却ファン３が装置ケース１に装着された後、冷却ファン３から延出しているリード線は、小さな輪状にされて冷却ファン３のインペラ３３間の空間に押入されていた。しかし、ヒートシンクファン装置Ｄを梱包箱から取り出す時や発熱体に取り付ける時などにインペラ３３間からリード線が外れ出ることがあった。このようにリード線が外れ出ると、自動化された生産工程では生産ラインが止まる原因となる。またリード線を小さな輪状とすると、リード線を配線する際に真っ直ぐに伸ばしにくくなる。そこで、リード線を掛止するための掛止部を装置ケース１の側壁の外面に形成するのが望ましい。図８に、掛止部が形成された装置ケースの一例を示す斜視図を示す。
【００４２】
図８（ａ）はヒートシンクファン装置Ｄの前側から見た斜視図、同図（ｂ）は後側から見た斜視図である。このヒートシンクファン装置Ｄでは、装置ケース１の一方の側壁１２ｂの外面に２つのフック（掛止部）１８ａ，１８ｂと切込み（掛止部）１８ｃが形成されている。もう一方の側壁１２ａの外面にも同様にフック１８ｅ，１８ｆと切込み１８ｄが形成されている。図８（ａ）に示すように、装着された冷却ファン３から延出した２本のリード線Ｌは、側壁１２ｂのフック１８ａとフック１８ｂ、切込み１８ｃに掛止され、側壁１２ｂに沿って前から後へと巻き付けられる。そして同図（ｂ）に示すように、リード線Ｌは、側壁１２ｂの切込み１８ｃと側壁１２ａの切込み１８ｄに押入されることによって装置ケース１の後面で側壁間に懸架され、側壁１２ａの切込み１８ｄを越した所で、リード線Ｌの終端に取り付けられたコネクタＣが位置している。リード線Ｌが長い場合には、側壁１２ａのフック１８ｅ、フック１８ｆを用いてリード線Ｌを掛止すればよく、リード線Ｌがさらに長い場合には、上記と同様にして装置ケース１の外周に複数回巻き付ければよい。
【００４３】
図９に、側壁の外面に掛止部を設けたヒートシンクファン装置の他の実施形態を示す。この図のヒートシンクファン装置では、装置ケース１（図８に図示）の一方の側壁１２ｂの外面にフック１８ｇ，１８ｈ，１８ｉが形成され、装置ケース１に装着された冷却ファンから延出したリード線Ｌは、これらのフック１８ｇ，１８ｈ，１８ｉに「８」字状に巻き付けられている。このように、装置ケース１の一方の側壁１２ｂにリード線Ｌを巻き付け保持しておいてもよい。
【００４４】
もちろん、リード線Ｌが装置ケース１の外面に固定されている限りその固定方法に特に限定はなく、前記固定方法のほか従来公知の固定方法を用いることができる。
【図面の簡単な説明】
【００４５】
【図１】本発明に係るヒートシンクファンの一例を示す概説図である。
【図２】本発明に係るヒートシンクファンの組立工程図である。
【図３】ヒートシンクの装置ケースへの取り付けを説明する図である。
【図４】フランジ部に切欠きを形成した場合の、ヒートシンクの装置ケースへの取り付けを説明する図である。
【図５】接続部材のない装置ケースの場合の、切欠きの形状とヒートシンクの取り付けを説明する図である。
【図６】他の形状の突片を備えたヒートシンクの底面図である。
【図７】図６のヒートシンクの装置ケースへの取り付けを説明する図である。
【図８】装置ケースの側壁の外面に形成された掛止部とリード線の掛止状態を説明する図である。
【図９】装置ケースの側壁の外面に形成された掛止部とリード線の他の掛止状態を説明する図である。
【符号の説明】
【００４６】
１    装置ケース
２    ヒートシンク
３    冷却ファン
Ｄ    ヒートシンクファン装置
Ｌ    リード線
Ｐ    ピン（固定具）
１１    上壁
１２ａ，１２ｂ    側壁
１３    前壁
１４    接続部材
１６ａ，１６ｂ    切欠き
１７ａ，１７ｂ    切欠き
１８ａ，１８ｂ，１８ｅ，１８ｆ    フック（掛止部）
１８ｃ，１８ｄ    切込み部（掛止部）
１８ｇ，１８ｈ，１８ｉ    フック（掛止部）
２１    基部
２２    放熱フィン
２３ａ，２３ｂ    突片
３１    吸気口
３２    傾斜面
１２１ａ，１２１ｂ    フランジ部
１２２ａ，１２２ｂ    凹部
１３１    吸気用開口
１３２    傾斜面
【図１】
2007287837.tif 000003
【図２】
2007287837.tif 000004
【図３】
2007287837.tif 000005
【図４】
2007287837.tif 000006
【図５】
2007287837.tif 000007
【図６】
2007287837.tif 000008
【図７】
2007287837.tif 000009
【図８】
2007287837.tif 000010
【図９】
2007287837.tif 000011